(57)【要約】【課題】ドラムが空回りしてケーブルの巻取りが乱れることのないケーブル用段ボール箱を得る。【解決手段】ドラム鍔とその両側に配置した補強用側板を接触面積を調整する。また、前記補強用側板は面積の異なるものに交換可能とする。さらにケーブルの引出し張力を２Ｎ〜３０Ｎにする。【選択図】  図１
2004217354.tif 000002
【特許請求の範囲】
【請求項１】
内部にケーブルを巻き付けた回転可能なドラムを収納する梱包箱において、前記ドラムは円筒形状のドラム筒部と、その両側側面に前記ドラム筒部を保持して取り付けられたドラム鍔と、前記ドラム筒部の中心を貫通し前記ドラム鍔の両側側面に前記ドラム鍔に接触して配置された補強用側板の軸穴に係合する軸を有し、前記ドラム鍔の外面と前記補強用側板の内面の接触面積を調整することによりドラム回転時の摩擦力を制御可能としたことを特徴とするケーブル用梱包箱。
【請求項２】
前記接触面積の調整は、前記補強用側板を異なる面積のものに交換することによるものであることを特徴とする請求項１に記載のケーブル用梱包箱。
【請求項３】
前記梱包箱から前記ドラムを回転させてケーブルを引出すときのケーブルの引出し張力が２Ｎ〜３０Ｎであることを特徴とする請求項１または請求項２のいずれか１項に記載のケーブル用梱包箱。
【発明の詳細な説明】
【０００１】
【産業上の利用分野】
本発明は、ケーブルを収納するケーブル用梱包箱に関する。
【０００２】
【従来の技術】
従来より、輸送や保管のために光ファイバーケーブルや電線等（以下ケーブル等と言う。）をドラムに巻き付けて収納し、ケーブル等を使用するときにはケーブル等を引出すことによりドラムを回転させて箱の外に引き出せるようにした梱包箱が使用されている。
【０００３】
このような梱包箱として、スプールの両側にフランジを有するスプール組立体を、フランジがフランジを支持するエンドプレートの表面に接触しないように離間させて保持する構造のものが知られている。（例えば、特許文献１参照。）
【０００４】
【特許文献１】特開平８−２２５２５３号公報（全頁）
【０００５】
【発明が解決しようとする課題】
前記特許文献には、スプール組立体をフランジ（本発明のドラム鍔に相当）を支持するエンドプレート（本発明の補強用側板に相当）の表面に接触しないように離間させて保持することにより、フランジとエンドプレートの接触面による摩擦を小さくしてスプール（本発明のドラム筒部に相当）がなめらかに回転するようにした構成が記載されている。そして、さらにスプール本体を保持するエンドプレートに設置された主軸はフランジがエンドプレートに接触しないようにプレートから突き出し、その基部にはスプール組立体を保持する環状のレッジ面を有する構成が好ましいとされている。また、エンドプレート等に与える摩擦を小さくするために、スプール本体がエンドプレートから離れた箱の中央に寄るようにエンドプレートの主軸に２°程度の傾斜をつけることも記載されている。
【０００６】
前記の構成においては、箱の中のスプールに巻き付けられたケーブル等を引出す際には、スプール本体とエンドプレートとの摩擦が小さいことによりスプールはなめらかに回転し、ケーブル等を軽い力で引き出すことができる。しかしながら、このような構成では逆に輸送時や未使用時にスプールが空回りし、その結果ケーブル等の巻取りが乱れたり、場合によってはもつれたりすることがある。また、特に比較的破壊されやすい光ファイバを含む光ファイバケーブルでは巻取りが乱れたままケーブルを引出した時にケーブルが絡まったりして光ファイバが損傷を受けて使用できなくなることもあり得る。
【０００７】
本発明は、前記の問題を解決するためになされたもので、ドラムが空回りしてケーブルの巻取りが乱れることがなく、その結果ケーブルを損傷することのないケーブル用段ボール箱を提供することを目的とする。
【０００８】
【課題を解決するための手段】
前記課題を解決するために本発明の請求項１に記載のケーブル用梱包箱は、内部にケーブルを巻き付けた回転可能なドラムを収納する梱包箱において、前記ドラムは円筒形状のドラム筒部と、その両側側面に前記ドラム筒部を保持して取り付けられたドラム鍔と、前記ドラム筒部の中心を貫通し前記ドラム鍔の両側側面に前記ドラム鍔に接触して配置された補強用側板の軸穴に係合する軸を有し、前記ドラム鍔の外面と前記補強用側板の内面の接触面積を調整することによりドラム回転時の摩擦力を制御可能としたことを特徴とする。
【０００９】
請求項２に記載のケーブル用梱包箱は、請求項１に記載のケーブル用梱包箱において、前記接触面積の調整は前記補強用側板を異なる面積のものに交換することによるものであることことを特徴とする。
【００１０】
請求項３に記載のケーブル用梱包箱は、請求項１または請求項２のいずれか１項に記載のケーブル用梱包箱において、前記梱包箱から前記ドラムを回転させてケーブルを引出すときのケーブルの引出し張力が２Ｎ〜３０Ｎであることを特徴とする。
【００１１】
【発明の実施の形態】
以下、本発明の実施の形態を図１〜図４に基づいて説明する。
図１は本発明の梱包用外箱１の梱包箱上面ふた８及び上面フラップ９を開いてケーブル１２が巻付けられたドラム３が梱包用外箱１の内部に収納された状態を斜め上方から見た斜視図である。また図２は図１と同様の状態を真上から見た平面図である。ドラム３はその外側にドラム鍔５を有し、ドラム鍔５はその外側に配置された補強用側板２に接触した状態で収納されている。このようにドラム鍔５が補強用側板２に接触した状態で収納されていることにより、ケーブルを引出す時にドラム鍔５と補強用側板２との間に摩擦力が発生しドラムが空転することがない。
【００１２】
図３は図１及び図２に示した梱包箱を正面から見た図である。図中破線は箱内部に収納されているドラムの部分を示している。梱包箱１の前面にはケーブル引出し口１０が開口されており、ケーブルを引出す時はこのケーブル引出し口１０よりケーブルを引出す。そして、必要な長さのケーブルを引出した後はケーブルを切断し、切断したケーブル先端をケーブル引出き戻り防止用差し込み穴１１に差込んでケーブル先端が梱包箱内部に戻らないようにしておく。
【００１３】
図４は、ドラムの構成要素及び補強用側板を示している。ドラム３は、円筒形状のドラム筒部４とその両側側面に取り付けられたドラム鍔５及びドラム筒部４の中心部を貫通する軸７より構成される。補強用側板２は軸穴６を有し、ドラム筒部４を貫通する軸７は軸穴に押通することにより保持される。そして、ケーブルを引出したときには軸７を中心にドラム３が回転する。
【００１４】
補強用側板２は２ａ、２ｂに示すような面積の異なるものに交換することができる。このように面積の異なるものに交換することにより、ドラム鍔５と補強用側板２との接触面積が変わり、摩擦力が変化してケーブルを引出す時の力を適宜変えることができる。ケーブルを引出すときの引出し張力の範囲は２Ｎ〜３０Ｎの範囲とすることが望ましい。引出し張力が２Ｎ未満の場合は振動等でドラムが空転し、引出し張力が３０Ｎを超える場合は未使用時や輸送時にドラムが空転することはないものの、ケーブルを引出す際の摩擦が大き過ぎてケーブルを引出しにくくなりケーブルを損傷する恐れがある。なお、引出し張力はばねばかりをケーブルにくくりつけて１ｍ／秒の速度で引出したときの測定値とする。
【００１５】
本発明のケーブル用梱包箱を構成する材料としては、市販の段ボールを使用することにより軽量で安価でしかも組立て解体が容易となるが、段ボールに限定することなく耐久性等を考慮してプラスチックや金属等任意の材料を構成材料の一部または全体に用いることもできる。
【００１６】
【発明の効果】
以上説明したように、本発明のケーブル用梱包箱によれば、簡単な構造でケーブルを引出す際の力を調整でき、ドラムが空回りしてケーブルの巻取りが乱れることがなく、その結果ケーブルを損傷することのないケーブル用梱包箱が得られる。
【図面の簡単な説明】
【図１】本発明のケーブル用梱包箱にケーブルが巻付けられたドラムが収納された状態を示す斜視図。
【図２】本発明のケーブル用梱包箱にケーブルが巻付けられたドラムが収納された状態をを示す平面図。
【図３】本発明のケーブル用梱包箱を正面より見た図。
【図４】本発明のドラムの構成要素及び補強用側板を示す図。
【符号の説明】
１    ・・・  梱包用外箱
２    ・・・  補強用側板
３    ・・・  ドラム
４    ・・・  ドラム筒部
５    ・・・  ドラム鍔
６    ・・・  軸穴
７    ・・・  軸
８    ・・・  梱包箱上面ふた
９    ・・・  上面フラップ
１０  ・・・  ケーブル引出し口
１１  ・・・  ケーブル引き戻り防止用差込穴
１２  ・・・ケーブル
【図１】
2004217354.tif 000003
【図２】
2004217354.tif 000004
【図３】
2004217354.tif 000005
【図４】
2004217354.tif 000006